(57)【要約】【課題】  リニアモータからの発熱が被走査部材に伝わることを抑制して、画質の安定化を図る。【解決手段】  画像読取装置及び画像形成装置には、被走査部材を副走査方向に搬送するための走査装置が備わっている。走査装置には、被走査部材を着脱自在に保持して搬送する保持部と、保持部を搬送方向に沿って案内するガイドと、ガイドに沿って延在する軸状の固定マグネットとが備えられている。また、走査装置には、固定マグネットに対して移動自在となるようにコイルに固定マグネットが挿通されて、通電されることで推力が発生するとともに、保持部が固定される可動コイルと、可動コイルに固定されて、ガイドに係合する被ガイド部材と、コイルに対する通電を制御する制御部とが備えられている。そして保持部及び可動コイルの間と、可動コイル及び被ガイド部材の間との少なくとも一方には断熱部材が介在している。【選択図】        図２
2005073020.tif 000002
【特許請求の範囲】
【請求項１】
被走査部材を副走査方向に搬送するための走査装置と、
前記走査装置で搬送される前記被走査部材に対して前記走査装置の搬送方向に直交する主走査方向に光を走査することにより前記被走査部材に記録された画像を読み取る画像読取部とを備える画像読取装置であって、
前記走査装置は、
前記被走査部材を着脱自在に保持して搬送する保持部と、
前記保持部を搬送方向に沿って案内するためのガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記コイルに対する通電を制御する制御部とを備え、
前記保持部及び前記可動コイルの間と、前記可動コイル及び前記被ガイド部材の間との少なくとも一方には断熱部材が介在していることを特徴とする画像読取装置。
【請求項２】
請求項１記載の画像読取装置において、
前記断熱部材が空気であることを特徴とする画像読取装置。
【請求項３】
被走査部材を副走査方向に搬送するための走査装置と、
前記走査装置で搬送される前記被走査部材に対して前記走査装置の搬送方向に直交する主走査方向に光を走査することにより前記被走査部材に記録された画像を読み取る画像読取部とを備える画像読取装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記保持部に対する前記被走査部材の着脱位置で、前記保持部の移動を規制する規制部と、
前記コイルに対する通電を制御する制御部とを備え、
前記制御部は、前記規制部によって前記保持部の移動が規制されて、前記被走査部材が着脱される際には、前記コイルに対する通電が停止されるように制御することを特徴とする画像読取装置。
【請求項４】
被走査部材を副走査方向に搬送するための走査装置と、
前記走査装置で搬送される前記被走査部材に対して前記走査装置の搬送方向に直交する主走査方向に光を走査することにより前記被走査部材に記録された画像を読み取る画像読取部とを備える画像読取装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
少なくとも１つの三相コイルを有し、前記固定マグネットに対して移動自在となるように前記三相コイルに前記固定マグネットが挿通されて、通電されることで推力が発生するとともに、前記保持部が固定される可動コイルと、
前記可動コイルに固定されて、前記ガイドに係合する被ガイド部材と、
前記三相コイルに対する通電を制御する制御部とを備え、
前記制御部は、前記被走査部材の着脱時に、前記三相コイルのうち、両端に配置されるコイルを通電、その他のコイルを非通電として、前記被走査部材の着脱位置で前記保持部を停止させるように制御することを特徴とする画像読取装置。
【請求項５】
請求項４記載の画像読取装置において、
前記走査装置は、前記三相コイルのうち、前記両端に配置されるコイルに接触するヒートパイプを備えることを特徴とする画像読取装置。
【請求項６】
被走査部材を副走査方向に搬送するための走査装置と、
前記走査装置で搬送される前記被走査部材に対して前記走査装置の搬送方向に直交する主走査方向に光を走査することにより前記被走査部材に記録された画像を読み取る画像読取部とを備える画像読取装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記可動コイルに対して送風し前記可動コイルを冷却する送風部と、
前記コイルに対する通電及び前記送風部を制御する制御部とを備えることを特徴とする画像読取装置。
【請求項７】
請求項６記載の画像読取装置において、
前記送風部は、前記被走査部材の着脱位置に配置された前記可動コイルに対向するように固定され、
前記制御部は、前記可動コイルが前記着脱位置に配置された場合に前記送風部を駆動させるように制御することを特徴とする画像読取装置。
【請求項８】
請求項６記載の画像読取装置において、
前記送風部は、前記可動コイルに同行するように固定されており、
前記制御部は、前記被走査部材に対して光が走査されている場合に前記送風部を停止させるように制御することを特徴とする画像読取装置。
【請求項９】
被走査部材を副走査方向に搬送するための走査装置と、
前記走査装置で搬送される前記被走査部材に対して前記走査装置の搬送方向に直交する主走査方向に光を走査することにより前記被走査部材に記録された画像を読み取る画像読取部とを備える画像読取装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記コイルに対する通電を制御する制御部とを備え、
前記制御部は、前記可動コイルを常時動かすように、前記コイルに対する通電を制御していることを特徴とする画像読取装置。
【請求項１０】
被走査部材を副走査方向に搬送するための走査装置と、
前記走査装置で搬送される前記被走査部材に対して前記走査装置の搬送方向に直交する主走査方向に光を走査することにより前記被走査部材に記録された画像を読み取る画像読取部とを備える画像読取装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記コイルに対する通電を制御する制御部とを備え、
前記固定マグネット及び前記コイルの間には、グラファイトが介在していることを特徴とする画像読取装置。
【請求項１１】
被走査部材を副走査方向に搬送するための走査装置と、
前記走査装置によって搬送される前記被走査部材に対して前記走査装置の搬送方向に直交する主走査方向に光を走査することにより前記被走査部材に画像を形成する画像形成部とを備える画像形成装置であって、
前記走査装置は、
前記被走査部材を着脱自在に保持して搬送する保持部と、
前記保持部を搬送方向に沿って案内するためのガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記コイルに対する通電を制御する制御部とを備え、
前記保持部及び前記可動コイルの間と、前記可動コイル及び前記被ガイド部材の間との少なくとも一方には断熱部材が介在していることを特徴とする画像形成装置。
【請求項１２】
請求項１１記載の画像形成装置において、
前記断熱部材が空気であることを特徴とする画像形成装置。
【請求項１３】
被走査部材を副走査方向に搬送するための走査装置と、
前記走査装置によって搬送される前記被走査部材に対して前記走査装置の搬送方向に直交する主走査方向に光を走査することにより前記被走査部材に画像を形成する画像形成部とを備える画像形成装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記保持部に対する前記被走査部材の着脱位置で、前記保持部の移動を規制する規制部と、
前記コイルに対する通電を制御する制御部とを備え、
前記制御部は、前記規制部によって前記保持部の移動が規制されて、前記被走査部材が着脱される際には、前記コイルに対する通電が停止されるように制御することを特徴とする画像形成装置。
【請求項１４】
被走査部材を副走査方向に搬送するための走査装置と、
前記走査装置によって搬送される前記被走査部材に対して前記走査装置の搬送方向に直交する主走査方向に光を走査することにより前記被走査部材に画像を形成する画像形成部とを備える画像形成装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
少なくとも１つの三相コイルを有し、前記固定マグネットに対して移動自在となるように前記三相コイルに前記固定マグネットが挿通されて、通電されることで推力が発生するとともに、前記保持部が固定される可動コイルと、
前記可動コイルに固定されて、前記ガイドに係合する被ガイド部材と、
前記三相コイルに対する通電を制御する制御部とを備え、
前記制御部は、前記被走査部材の着脱時に、前記三相コイルのうち、両端に配置されるコイルを通電、その他のコイルを非通電として、前記被走査部材の着脱位置で前記保持部を停止させるように制御することを特徴とする画像形成装置。
【請求項１５】
請求項１４記載の画像形成装置において、
前記走査装置は、前記三相コイルのうち、前記両端に配置されるコイルに接触するヒートパイプを備えることを特徴とする画像形成装置。
【請求項１６】
被走査部材を副走査方向に搬送するための走査装置と、
前記走査装置によって搬送される前記被走査部材に対して前記走査装置の搬送方向に直交する主走査方向に光を走査することにより前記被走査部材に画像を形成する画像形成部とを備える画像形成装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記可動コイルに対して送風し前記可動コイルを冷却する送風部と、
前記コイルに対する通電及び前記送風部を制御する制御部とを備えることを特徴とする画像形成装置。
【請求項１７】
請求項１６記載の画像形成装置において、
前記送風部は、前記被走査部材の着脱位置に配置された前記可動コイルに対向するように固定され、
前記制御部は、前記可動コイルが前記着脱位置に配置された場合に前記送風部を駆動させるように制御することを特徴とする画像形成装置。
【請求項１８】
請求項１６記載の画像形成装置において、
前記送風部は、前記可動コイルに同行するように固定されており、
前記制御部は、前記被走査部材に対して光が走査されている場合に前記送風部を停止させるように制御することを特徴とする画像形成装置。
【請求項１９】
被走査部材を副走査方向に搬送するための走査装置と、
前記走査装置によって搬送される前記被走査部材に対して前記走査装置の搬送方向に直交する主走査方向に光を走査することにより前記被走査部材に画像を形成する画像形成部とを備える画像形成装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記コイルに対する通電を制御する制御部とを備え、
前記制御部は、前記可動コイルを常時上下動かすように、前記コイルに対する通電を制御していることを特徴とする画像形成装置。
【請求項２０】
被走査部材を副走査方向に搬送するための走査装置と、
前記走査装置によって搬送される前記被走査部材に対して前記走査装置の搬送方向に直交する主走査方向に光を走査することにより前記被走査部材に画像を形成する画像形成部とを備える画像形成装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記コイルに対する通電を制御する制御部とを備え、
前記固定マグネット及び前記コイルの間には、グラファイトが介在していることを特徴とする画像形成装置。
【発明の詳細な説明】
【技術分野】
【０００１】
本発明は、画像読取装置及び画像形成装置に係り、特にシャフト型のリニアモータを備える画像読取装置及び画像形成装置に関する。
【背景技術】
【０００２】
病気診断などにはＸ線画像のような放射線画像が頻繁に用いられている。従来、前述の放射線画像を得るためには、まず被験者を放射線撮影装置によって撮影し、輝尽性蛍光体シート上に検査部位の潜像を形成し、その後、輝尽性蛍光体シート上の潜像を画像読取装置によって読み取り、当該潜像をデジタルデータ化する。この得られたデジタルデータを画像形成装置に送ると、画像形成装置はデジタルデータを基に現像して記録媒体上に検査部位の画像を形成する。
【０００３】
ここで、画像読取装置によって輝尽性蛍光体プレート上の潜像を読み取る際には、輝尽性蛍光体プレート上に輝尽励起光を主走査方向及び副走査方向に走査し、潜像を形成する放射線エネルギーを発光させることで、発光光量を基にデジタルデータを得る。また、デジタルデータを基に画像形成装置で記録媒体上に画像を形成する場合には、感光材料などの記録媒体上にレーザ光源を主走査方向及び副走査方向に走査することで画像形成を行う。一般に主走査方向の走査のためには、光をポリゴンなどによって走査する走査装置が備わっている。一方、副走査方向の走査のためには、走査する光源を含む光学系や輝尽性蛍光体プレート、或いは記録媒体を搬送するための走査装置が備わっている。（例えば、特許文献１参照）。
【特許文献１】特開２００３−９８６０９号公報
【発明の開示】
【発明が解決しようとする課題】
【０００４】
近年、走査装置の駆動源としてリニアモータが用いられるようになっている。リニアモータのコイルからは必ず発熱があり、特に被走査部材を垂直方向に搬送する際には、常に重力に抗する推力をリニアモータに与える必要があるため、発熱量が増大する。リニアモータからの発熱が被走査部材に伝わってしまうと、その熱影響によって画質が劣化してしまうおそれがある。また、リニアモータには、被走査部材を垂直方向に案内するためのガイドが備わっているが、リニアモータからの発熱がガイドに伝わってしまうと、ガイドの摺動抵抗が変化しコギングによる画質劣化や、ガイドの劣化を促進するなどの問題が発生する。これらの問題を改善するために、リニアモータから被走査部材やガイドまでの距離を離すことが考えられるが、装置の大型化や剛性不足による振動増大などの新たな問題を誘発してしまう。
【０００５】
本発明の課題は、装置の大型化、振動増加を抑制しつつ、リニアモータからの発熱が被走査部材やガイドに伝わることを抑制して、画質の安定化を図ることである。
【課題を解決するための手段】
【０００６】
請求項１記載の発明は、
被走査部材を副走査方向に搬送するための走査装置と、
前記走査装置で搬送される前記被走査部材に対して前記走査装置の搬送方向に直交する主走査方向に光を走査することにより前記被走査部材に記録された画像を読み取る画像読取部とを備える画像読取装置であって、
前記走査装置は、
前記被走査部材を着脱自在に保持して搬送する保持部と、
前記保持部を搬送方向に沿って案内するためのガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記コイルに対する通電を制御する制御部とを備え、
前記保持部及び前記可動コイルの間と、前記可動コイル及び前記被ガイド部材の間との少なくとも一方には断熱部材が介在していることを特徴としている。
【０００７】
請求項１記載の発明によれば、断熱部材が、保持部及び可動コイルの間と、可動コイル及び被ガイド部材の間との少なくとも一方に設けられているので、可動コイルでの発熱が保持部や被ガイド部材に伝導することを防止できる。ここで保持部に熱が伝われば、被走査部材にも熱影響が発生し画質の劣化を伴ってしまうが、上記のように保持部に対する熱伝導を防止できるので、被走査部材に対する熱影響も抑制し画質を安定させることが可能となる。一方、被ガイド部材に熱が伝われば、その熱によって被ガイド部材が熱膨張するために、ガイドとの係合が不安定になって、搬送速度にムラが生じてしまう。この速度ムラは画像劣化を誘発する。しかしながら、上記のように可動コイルと被ガイド部材の間に断熱部材が介在していれば、被ガイド部材に対する熱伝導を防止できるので、リニアモータから被走査部材や被ガイド部材までの距離を離さなくとも、被ガイド部材の熱膨張を抑えて、ガイドとの係合の安定化を図ることができる。したがって搬送速度のムラを防止して、画質を安定させることが可能となる。
【０００８】
請求項２記載の発明は、請求項１記載の画像読取装置において、
前記断熱部材が空気であることを特徴としている。
【０００９】
請求項２記載の発明によれば、断熱部材が空気であるので、例えば保持部及び可動コイルの間や、可動コイル及び被ガイド部材の間に隙間を設ければ、両者間に空気による断熱層が形成されることになる。このように簡単な構成で断熱効果を得ることができるので、断熱部材として特別な部材を使用した場合と比較してもコストを抑えることができる。
【００１０】
請求項３記載の発明は、
被走査部材を副走査方向に搬送するための走査装置と、
前記走査装置で搬送される前記被走査部材に対して前記走査装置の搬送方向に直交する主走査方向に光を走査することにより前記被走査部材に記録された画像を読み取る画像読取部とを備える画像読取装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記保持部に対する前記被走査部材の着脱位置で、前記保持部の移動を規制する規制部と、
前記コイルに対する通電を制御する制御部とを備え、
前記制御部は、前記規制部によって前記保持部の移動が規制されて、前記被走査部材が着脱される際には、前記コイルに対する通電が停止されるように制御することを特徴としている。
【００１１】
請求項３記載の発明によれば、規制部によって保持部の移動が規制されて、被走査部材が着脱される際には、コイルに対する通電が停止されているので、被走査部材の着脱動作時においてはコイルは発熱しない。このため、全発熱量が抑制されて、可動コイルから被ガイド部材及び保持部に対する伝熱量を低減することができる。したがって、リニアモータから被走査部材や被ガイド部材までの距離を離さなくとも、被走査部材に対する熱影響及び被ガイド部材の熱膨張を抑制でき、画質を安定させることが可能となる。
【００１２】
請求項４記載の発明は、
被走査部材を副走査方向に搬送するための走査装置と、
前記走査装置で搬送される前記被走査部材に対して前記走査装置の搬送方向に直交する主走査方向に光を走査することにより前記被走査部材に記録された画像を読み取る画像読取部とを備える画像読取装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
少なくとも１つの三相コイルを有し、前記固定マグネットに対して移動自在となるように前記三相コイルに前記固定マグネットが挿通されて、通電されることで推力が発生するとともに、前記保持部が固定される可動コイルと、
前記可動コイルに固定されて、前記ガイドに係合する被ガイド部材と、
前記三相コイルに対する通電を制御する制御部とを備え、
前記制御部は、前記被走査部材の着脱時に、前記三相コイルのうち、両端に配置されるコイルを通電、その他のコイルを非通電として、前記被走査部材の着脱位置で前記保持部を停止させるように制御することを特徴としている。
【００１３】
請求項４記載の発明によれば、被走査部材の着脱時に、三相コイルのうち、両端に配置されるコイルを通電、その他のコイルを非通電として、被走査部材の着脱位置で保持部を停止させているので、被走査部材の着脱時においてはコイルからの発熱を放熱しやすくなる。このため、温度上昇が抑制され、可動コイルから被ガイド部材及び保持部に対する伝熱量を低減することができる。したがって、リニアモータから被走査部材や被ガイド部材までの距離を離さなくとも、被走査部材に対する熱影響及び被ガイド部材の熱膨張を抑制でき、画質を安定させることが可能となる。
【００１４】
請求項５記載の発明は、請求項４記載の画像読取装置において、
前記走査装置は、前記三相コイルのうち、前記両端に配置されるコイルに接触するヒートパイプを備えることを特徴としている。
【００１５】
請求項５記載の発明によれば、三相コイルのうち両端に配置されるコイルにヒートパイプが接触しているので、両端のコイルから発生する熱をヒートパイプによって放熱することができる。したがって、可動コイルから被ガイド部材及び保持部に対する伝熱量をさらに低減することができる。
【００１６】
請求項６記載の発明は、
被走査部材を副走査方向に搬送するための走査装置と、
前記走査装置で搬送される前記被走査部材に対して前記走査装置の搬送方向に直交する主走査方向に光を走査することにより前記被走査部材に記録された画像を読み取る画像読取部とを備える画像読取装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記可動コイルに対して送風し前記可動コイルを冷却する送風部と、
前記コイルに対する通電及び前記送風部を制御する制御部とを備えることを特徴としている。
【００１７】
請求項６記載の発明によれば、送風部が可動コイルに対して送風するので、直接可動コイルを冷却して、温度上昇を抑制することができる。したがって、リニアモータから被走査部材や被ガイド部材までの距離を離さなくとも、被走査部材に対する熱影響及び被ガイド部材の熱膨張を抑制でき、画質を安定させることが可能となる。
【００１８】
請求項７記載の発明は、請求項６記載の画像読取装置において、
前記送風部は、前記被走査部材の着脱位置に配置された前記可動コイルに対向するように固定され、
前記制御部は、前記可動コイルが前記着脱位置に配置された場合に前記送風部を駆動させるように制御することを特徴としている。
【００１９】
請求項７記載の発明によれば、送風部は可動コイルが着脱位置に配置された場合に駆動されるので、被走査部材に対して光が走査されている場合には送風部が停止されることになる。したがって、送風部が駆動することにより生じるノイズは、走査時には発生せず、送風部によって画質が低下することを防止することができる。
【００２０】
請求項８記載の発明は、請求項６記載の画像読取装置において、
前記送風部は、前記可動コイルに同行するように固定されており、
前記制御部は、前記被走査部材に対して光が走査されている場合に前記送風部を停止させるように制御することを特徴としている。
【００２１】
請求項８記載の発明によれば、送風部は被走査部材に対して光が走査されている場合に停止させられているので、送風部が駆動することにより生じるノイズは、走査時には発生せず、送風部によって画質が低下することを防止することができる。また、それ以外のときには、常に可動コイルに対して送風を行っているので可動コイルの温度上昇を抑制することができる。
【００２２】
請求項９記載の発明は、
被走査部材を副走査方向に搬送するための走査装置と、
前記走査装置で搬送される前記被走査部材に対して前記走査装置の搬送方向に直交する主走査方向に光を走査することにより前記被走査部材に記録された画像を読み取る画像読取部とを備える画像読取装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記コイルに対する通電を制御する制御部とを備え、
前記制御部は、前記可動コイルを常時上下動かすように、前記コイルに対する通電を制御していることを特徴としている。
【００２３】
請求項９記載の発明によれば、可動コイルが常時上下動しているので、常に空冷されていることになって、可動コイルの温度上昇を抑制することができる。また、可動コイルが常時動くことになって、コイルの特定相への通電を避けることができ、一部分のみが発熱して、他の部分よりも温度が高まることを抑制することができる。したがって、リニアモータから被走査部材や被ガイド部材までの距離を離さなくとも、被走査部材に対する熱影響及び被ガイド部材の熱膨張を抑制でき、画質を安定させることが可能となる。
【００２４】
請求項１０記載の発明は、
被走査部材を副走査方向に搬送するための走査装置と、
前記走査装置で搬送される前記被走査部材に対して前記走査装置の搬送方向に直交する主走査方向に光を走査することにより前記被走査部材に記録された画像を読み取る画像読取部とを備える画像読取装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記コイルに対する通電を制御する制御部とを備え、
前記固定マグネット及び前記コイルの間には、グラファイトが介在していることを特徴としている。
【００２５】
請求項１０記載の発明によれば、グラファイトが固定マグネット及びコイルの間に介在しているので、可動コイルから発生した熱は、グラファイトに伝導し、放熱されることになる。また、このグラファイトは軽量で磁力の影響を受けないので、安定した搬送を確保できる。したがって、リニアモータから被走査部材や被ガイド部材までの距離を離さなくとも、被走査部材に対する熱影響及び被ガイド部材の熱膨張を抑制でき、画質を安定させることが可能となる。
【００２６】
請求項１１記載の発明は、
被走査部材を副走査方向に搬送するための走査装置と、
前記走査装置によって搬送される前記被走査部材に対して前記走査装置の搬送方向に直交する主走査方向に光を走査することにより前記被走査部材に画像を形成する画像形成部とを備える画像形成装置であって、
前記走査装置は、
前記被走査部材を着脱自在に保持して搬送する保持部と、
前記保持部を搬送方向に沿って案内するためのガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記コイルに対する通電を制御する制御部とを備え、
前記保持部及び前記可動コイルの間と、前記可動コイル及び前記被ガイド部材の間との少なくとも一方には断熱部材が介在していることを特徴としている。
【００２７】
請求項１１記載の発明によれば、画像形成装置であっても請求項１記載の発明と同等の作用、効果を得ることができる。
【００２８】
請求項１２記載の発明は、請求項１１記載の画像形成装置において、
前記断熱部材が空気であることを特徴としている。
【００２９】
請求項１２記載の発明によれば、画像形成装置であっても請求項２記載の発明と同等の作用、効果を得ることができる。
【００３０】
請求項１３記載の発明は、
被走査部材を副走査方向に搬送するための走査装置と、
前記走査装置によって搬送される前記被走査部材に対して前記走査装置の搬送方向に直交する主走査方向に光を走査することにより前記被走査部材に画像を形成する画像形成部とを備える画像形成装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記保持部に対する前記被走査部材の着脱位置で、前記保持部の移動を規制する規制部と、
前記コイルに対する通電を制御する制御部とを備え、
前記制御部は、前記規制部によって前記保持部の移動が規制されて、前記被走査部材が着脱される際には、前記コイルに対する通電が停止されるように制御することを特徴としている。
【００３１】
請求項１３記載の発明によれば、画像形成装置であっても請求項３記載の発明と同等の作用、効果を得ることができる。
【００３２】
請求項１４記載の発明は、
被走査部材を副走査方向に搬送するための走査装置と、
前記走査装置によって搬送される前記被走査部材に対して前記走査装置の搬送方向に直交する主走査方向に光を走査することにより前記被走査部材に画像を形成する画像形成部とを備える画像形成装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
少なくとも１つの三相コイルを有し、前記固定マグネットに対して移動自在となるように前記三相コイルに前記固定マグネットが挿通されて、通電されることで推力が発生するとともに、前記保持部が固定される可動コイルと、
前記可動コイルに固定されて、前記ガイドに係合する被ガイド部材と、
前記三相コイルに対する通電を制御する制御部とを備え、
前記制御部は、前記被走査部材の着脱時に、前記三相コイルのうち、両端に配置されるコイルを通電、その他のコイルを非通電として、前記被走査部材の着脱位置で前記保持部を停止させるように制御することを特徴としている。
【００３３】
請求項１４記載の発明によれば、画像形成装置であっても請求項４記載の発明と同等の作用、効果を得ることができる。
【００３４】
請求項１５記載の発明は、請求項１４記載の画像形成装置において、
前記走査装置は、前記三相コイルのうち、前記両端に配置されるコイルに接触するヒートパイプを備えることを特徴としている。
【００３５】
請求項１５記載の発明によれば、画像形成装置であっても請求項５記載の発明と同等の作用、効果を得ることができる。
【００３６】
請求項１６記載の発明は、
被走査部材を副走査方向に搬送するための走査装置と、
前記走査装置によって搬送される前記被走査部材に対して前記走査装置の搬送方向に直交する主走査方向に光を走査することにより前記被走査部材に画像を形成する画像形成部とを備える画像形成装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記可動コイルに対して送風し前記可動コイルを冷却する送風部と、
前記コイルに対する通電及び前記送風部を制御する制御部とを備えることを特徴としている。
【００３７】
請求項１６記載の発明によれば、画像形成装置であっても請求項６記載の発明と同等の作用、効果を得ることができる。
【００３８】
請求項１７記載の発明は、請求項１６記載の画像形成装置において、
前記送風部は、前記被走査部材の着脱位置に配置された前記可動コイルに対向するように固定され、
前記制御部は、前記可動コイルが前記着脱位置に配置された場合に前記送風部を駆動させるように制御することを特徴としている。
【００３９】
請求項１７記載の発明によれば、画像形成装置であっても請求項７記載の発明と同等の作用、効果を得ることができる。
【００４０】
請求項１８記載の発明は、請求項１６記載の画像形成装置において、
前記送風部は、前記可動コイルに同行するように固定されており、
前記制御部は、前記被走査部材に対して光が走査されている場合に前記送風部を停止させるように制御することを特徴としている。
【００４１】
請求項１８記載の発明によれば、画像形成装置であっても請求項８記載の発明と同等の作用、効果を得ることができる。
【００４２】
請求項１９記載の発明は、
被走査部材を副走査方向に搬送するための走査装置と、
前記走査装置によって搬送される前記被走査部材に対して前記走査装置の搬送方向に直交する主走査方向に光を走査することにより前記被走査部材に画像を形成する画像形成部とを備える画像形成装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記コイルに対する通電を制御する制御部とを備え、
前記制御部は、前記可動コイルを常時上下動かすように、前記コイルに対する通電を制御していることを特徴としている。
【００４３】
請求項１９記載の発明によれば、画像形成装置であっても請求項９記載の発明と同等の作用、効果を得ることができる。
【００４４】
請求項２０記載の発明は、
被走査部材を副走査方向に搬送するための走査装置と、
前記走査装置によって搬送される前記被走査部材に対して前記走査装置の搬送方向に直交する主走査方向に光を走査することにより前記被走査部材に画像を形成する画像形成部とを備える画像形成装置であって、
前記走査装置は、
前記被走査部材を着脱自在に保持して搬送する保持部と、
前記保持部を搬送方向に沿って案内するガイドと、
前記ガイドに沿って延在する軸状の固定マグネットと、
コイルを有し、前記固定マグネットに対して移動自在となるように前記コイルに前記固定マグネットが挿通されて、通電されることで推力が発生するとともに、前記保持部が固定される可動コイルと、
前記可動コイルに固定されて、前記ガイドに係合する被ガイド部材と、
前記コイルに対する通電を制御する制御部とを備え、
前記固定マグネット及び前記コイルの間には、グラファイトが介在していることを特徴としている。
【００４５】
請求項２０記載の発明によれば、画像形成装置であっても請求項１０記載の発明と同等の作用、効果を得ることができる。
【発明の効果】
【００４６】
本発明によれば、保持部に熱が伝われば、被走査部材にも熱影響が発生し画質の劣化を伴ってしまうが、保持部に対する伝熱量を低減しているので、被走査部材に対する熱影響も抑制し画質を安定させることが可能となる。また、被ガイド部材に熱が伝われば、その熱によって被ガイド部材が熱膨張するために、ガイドとの係合が不安定になって、搬送速度にムラが生じてしまう。この速度ムラは画像劣化を誘発する。しかしながら、上記のように被ガイド部材に対する伝熱量を低減していれば、被ガイド部材に対する熱伝導を防止できるので、被ガイド部材の熱膨張を抑えて、ガイドとの係合の安定化を図ることができる。したがって搬送速度のムラを防止して、画質を安定させることが可能となる。
【発明を実施するための最良の形態】
【００４７】
以下、本発明の実施形態としての画像読取装置について図を参照にして説明する。図１は画像読取装置の概略構成を表す側面図である。
画像読取装置１は輝尽性蛍光体プレートが内部に装着されたカセッテ２を挿入し輝尽性蛍光体プレート（図示せず）に記録された放射線画像情報を読み取る画像読取装置である。図１に示すように、画像読取装置１の装置本体３の上部にはカセッテ２の挿入及び排出を行うカセッテ挿入排出部４が着脱自在に設けられている。カセッテ挿入排出部４の上面にはカセッテが挿入されるカセッテ挿入口５と、カセッテ２が排出されるカセッテ排出口６が設けられている。カセッテ排出口６はカセッテ２の収納部を兼ねるようになっており、複数のカセッテ２を保持できるようになっている。
【００４８】
画像読取装置１に挿入されるカセッテ２は、分離可能なフロント板とバック板（いずれも図示せず）とから構成されており、図示しないロック機構によって閉じ合わされている。バック板の内側には放射線を照射されることによって放射線画像を記録する被走査体としての輝尽性蛍光体プレートが固定されている。バック板の外側面には鉄箔等で形成された強磁性体シートが貼付されており、磁力によって磁石に吸着するようになっている。なお、バック板自体を強磁性体プラスチック等によって形成して磁石に吸着するようにしてもよい。
【００４９】
カセッテ挿入口５及びカセッテ排出口６の下端部には装置本体３の内部と通じる開口部（図示せず）が設けられている。
【００５０】
カセッテ挿入口５に設けられた開口部の近傍には、カセッテ挿入口５から挿入されたカセッテを装置本体３へと搬送するための一対の挿入ローラ７，７が配設されている。また、カセッテ挿入口５の内部にはカセッテの位置を調整する幅寄せ手段８が設けられており、カセッテを挿入ローラ７，７の設けられている位置に誘導するようになっている。
【００５１】
また、カセッテ排出口６に設けられた開口部の近傍にはカセッテを装置本体３からカセッテ排出口６へと搬送する一対の排出ローラ９，９が配設されている。
【００５２】
カセッテ挿入排出部４と装置本体３との間には防振ゴム１０が配設されており、カセッテ２の挿入、排出時の振動が装置本体３に伝わりにくい防振構造となっている。
【００５３】
装置本体３の内部であってカセッテ挿入排出部４の下方には、カセッテ２を搬送するカセッテ搬送機構１１が設けられている。カセッテ搬送機構１１は上面及び装置本体３の背面側に対向する面に開口部を有する箱型の部材であり、カセッテ搬送機構１１の下端部は支軸１２によって支持されている。カセッテ搬送機構１１は支軸１２を支点として回動可能となっており、ａ、ｂ及びｃの位置で停止可能となっている。
【００５４】
カセッテ搬送機構１１の内部には昇降台１３が設けられており、昇降台１３は図示しない駆動源によって昇降自在となっている。カセッテ搬送機構１１はカセッテを昇降台１３の上に受けて所定の位置まで搬送するようになっている。また、カセッテ搬送機構１１には特開２００２−２７８０００号公報等において開示されている公知のロック解除機構（図示せず）が設けられており、カセッテ２のロックを解除してフロント板とバック板とを分離させるようになっている。
【００５５】
装置本体３の背面側には、カセッテ２を図１における垂直方向に搬送する走査装置１４が設けられている。以下、走査装置１４について説明する。
図１に示すように走査装置１４は被走査部材を床面に対して垂直方向に搬送するものであって、搬送方向Ｘに沿って延在する略コ字状のガイド１５と、ガイド１５によって案内されて、被走査部材を搬送する保持部２２とを有している。図２及び図３に示すように、ガイド１５の略中央には、ガイドレール１５１が搬送方向Ｘに延在するように設けられている。また、このガイド１５には、軸状の固定マグネット１５３がガイド１５に沿って延在するように設けられている。固定マグネット１５３は図４（ａ）に示すように、複数の断面円形状の永久磁石ＭのＮ極同士あるいはＳ極同士を連結して軸状に形成されていて、その磁束密度は、図４（ｂ）のように各永久磁石ＭのＮ極及びＳ極の接続部分を頂点とした波形を示している。
【００５６】
保持部２２は、図２及び図３に示すように、ガイドレール１５１に沿って配置される板状の保持台２３を有しており、この保持台２３の被走査部材が取り付けられる保持面には、被走査部材を保持面上に着脱自在に取り付けるラバーマグネット２４がほぼ一面に設けられている。なお、被走査部材を固定する手段はラバーマグネット２４に限られず、他の公知の固定手段を用いてもよい。
【００５７】
保持台２３の保持面の反対側には、固定マグネット１５３に往復移動自在となるように固定マグネット１５３が挿通される可動コイル２５が設けられている。この可動コイル２５は、コアレスの円筒状の３つのコイルＵ，Ｗ，Ｖが直列に配列された三相コイル２５１（図４（ａ）参照）を有し、この三相コイル２５１を箱状のカバー部材２５２にて覆うように形成されている。このように、可動コイル２５と固定マグネット１５３とによってリニアモータ２６が構成されており、リニアモータ２６には電源を制御する制御部（図示省略）が接続されている。制御部は、図４（ｂ）に示すように、三相コイル２５１の各コイルＵ，Ｗ，Ｖに対して、それぞれ位相をずらして電流を通電させている。これによって、リニアモータ２６が作動して、可動コイル２５に推力が働き、可動コイル２５が固定マグネット１５３に沿って非接触的に上昇又は下降するようになっている。
なお、本実施形態では三相コイル２５１が１つ使用された場合を例示したが、複数の三相コイルを直列に配列して使用することも可能である。
【００５８】
そして、図２及び図３に示すように、可動コイル２５のカバー部材２５２の一面には、断熱部材２５３を介して保持台２３が固定されている。そしてカバー部材２５２の他面には、ガイドレール１５１に係合してスライドする被ガイド部材２５４が断熱部材２５５を介して設けられている。このように、保持部２２及び可動コイル２５の間と、可動コイル２５及び被ガイド部材２５４の間に断熱部材２５３，２５５が介在しているので、可動コイル２５で発生した熱が、保持部２２及び被ガイド部材２５４に伝導することを防止できるようになっている。
【００５９】
なお、断熱部材２５３，２５５においては、公知の断熱部材を使用することが可能であるが、それ以外にも、例えば図５に示すように、スペーサ２５６によって、保持部２２及び可動コイル２５の間と、可動コイル２５及び被ガイド部材２５４の間に隙間を形成することで、両者の間に空気を介在させれば、空気が断熱部材として機能するために、この方式であっても、可動コイル２５で発生した熱が、保持部２２及び被ガイド部材２５４に伝導することを防止できるようになっている。そして、スペーサ２５６も断熱効果のある材料から形成されていれば、より好ましい。
【００６０】
そして、図６に示すように、可動コイル２５におけるカバー部材２５２の上面及び下面には、三相コイル２５１のうち、上下端に配置されたコイルＵ，Ｖに接触するように、ヒートパイプ３０が設けられている。このヒートパイプ３０の一端部には、保持台２３の端部に固定されたヒートシンク３１が接触しており、コイルＵ，Ｖから発生した熱は、ヒートパイプ３０を介してヒートシンク３１に伝導し、ヒートシンク３１から放熱されるようになっている。
【００６１】
また、固定マグネット１５３及びコイルＵ，Ｗ，Ｖの間には、図示しないグラファイトが介在していて、可動コイル２５から発生した熱が、グラファイトに伝導し、放熱されるようになっている。
【００６２】
図３に示すように、固定マグネット１５３の前下方には、水平方向にスライドする規制片２８が設けられている。そして、保持台２３のラバーマグネット２４の下方には、規制片２８が係合する係合孔２３１が設けられており、保持部２２に対する被走査部材の着脱位置まで保持部２２が下降すると、規制片２８が係合孔２３１に進入して保持部２２の移動を規制し、保持部２２が再度移動する際には規制片２８が係合孔２３１から抜け出して保持部２２の規制を解除するようになっている。つまり、規制片２８と係合孔２３１とによって、着脱位置で保持部２２の移動を規制する規制部２９が構成されている。
【００６３】
図１に示すように、装置本体３の内部上方であって走査装置１４に対向する位置には輝尽性蛍光体プレートに記録された放射線画像を読み取る画像読取部４４が設けられている。画像読取部４４は、ガスレーザ、固体レーザ又は半導体レーザ等の励起光源（図示せず）と励起光源からの光をポリゴンミラー等の偏光ミラーによって偏光し結像レンズによって結像させて輝尽性蛍光体プレートに輝尽励起光を照射する光学系（図示せず）を内部に搭載している。また、画像読取部４４は、輝尽励起光を照射することにより輝尽性蛍光体プレートから発生する輝尽発光光を集光し導光する導光部材４５と、導光部材４５によって導かれた輝尽発光光を集光する集光管４６、及び集光管４６によって集光された光を電気信号に変換するフォトマルチプライヤ等の光電変換器（図示せず）とを備えている。画像読取部４４は輝尽性蛍光体プレートの上を搬送方向Ｘに直交する主走査方向に移動しながら励起光源からの光を走査して輝尽性蛍光体プレートに記録された画像の読み取りを行うようになっている。
【００６４】
画像読取部４４の下方には、画像読取部４４による放射線画像の読み取り後に輝尽性蛍光体プレートに残存する画像情報を消去する消去部４７が配設されている。消去部４７は、例えばハロゲンランプ等の消去光源（図示せず）を複数備えており、この消去光源からの消去光を輝尽性蛍光体プレートに照射することにより、輝尽性蛍光体プレートに残存している放射線エネルギーを放出させて輝尽性蛍光体プレートの画像情報を消去し、輝尽性蛍光体プレートを新たに放射線画像撮影に供し得る状態とするようになっている。
【００６５】
次に、本実施形態の作用について説明する。
画像読取装置１が待機状態にあると、規制片２８が係合孔２３１に進入していて、保持部２２は着脱位置で停止している。
そして、カセッテ挿入排出部４からカセッテ２が挿入されると、幅寄せ手段８によってカセッテ２が挿入ローラ７，７の設けられている位置に誘導され、開口部から装置本体３の内部に搬送される。装置本体３内部ではカセッテ搬送機構１１がａの位置で待機しており、カセッテ２を昇降台１３の上に受ける。カセッテ２は昇降台１３の上に保持されたままカセッテ搬送機構１１の中を下降する。カセッテ２が所定の位置まで下降すると、カセッテ搬送機構１１はロック解除機構によってカセッテ２のロックを解除してフロント板とバック板とを分離させた後、ｃの位置まで回動し、バック板と保持部２２とが対峙する。
【００６６】
着脱位置に位置する保持部２２とバック板とが対峙すると、保持部２２のラバーマグネット２４が、カセッテ２のバック板を吸着する。これによって、輝尽性蛍光体プレートが固定されたバック板のみが保持部２２に保持される。つまり、本実施形態では被走査部材が輝尽性蛍光体プレート及びバック板とで構成されている。バック板が保持部２２に保持されると、カセッテ搬送機構１１はガイド１５から離れる方向に回動して保持部２２に干渉しない位置まで退避する。
【００６７】
保持部２２に被走査部材が取り付けられると、規制片２８が係合孔２３１から抜け出て、保持部２２の規制が解除される。保持部２２の移動が可能になると、制御部が電源を制御して可動コイル２５に対して所定の電流を流してリニアモータ２６を作動させる。これにより、保持部２２が保持台２３の上に被走査部材を保持したまま上昇する。
【００６８】
バック板の上端が画像読取部４４に対向する位置まで保持部２２が上昇すると、画像読取部４４の励起光源から輝尽励起光がバック板に保持された輝尽性蛍光体プレートに対して照射され、これによって励起された輝尽発光光が導光部材４５に導かれて集光管４６に集光される。集光された光は光電変換器によって電気信号化され、画像データとして所定の信号処理をされた後、例えば画像表示装置やドライイメージャ等の画像出力装置に出力されて可視画像として表示される。また、画像データは銀塩フィルム等に露光させて可視画像化することも可能である。
ここで、保持部２２の上昇時においては、制御部は電源から可動コイル２５に流れる電流を制御することで搬送速度を調整している。
【００６９】
放射線画像の読み取りが終了すると、制御部は、保持部２２が下降するように、可動コイル２５に電流を流す。保持部２２の下降時においては、消去部４７の消去光源から輝尽性蛍光体プレートに対して消去光を照射することにより、輝尽性蛍光体プレートに残存している放射線エネルギーを放出させて輝尽性蛍光体プレートの画像情報を消去する。
【００７０】
保持部２２が着脱位置まで下降すると、規制片２８が係合孔２３１に進入して、保持部２２の移動を規制する。制御部は電源をＯＦＦにしてリニアモータ２６を停止させる。その後、退避していたカセッテ搬送機構１１がｃの位置まで回動し、バック板とフロント板とが合体されることによりバック板が保持台２３から剥離される。
【００７１】
バック板とフロント板とが合体したカセッテが昇降台１３に保持されると、カセッテ搬送機構１１はｂの位置まで回動し、カセッテを保持した昇降台１３が上昇する。カセッテ２がカセッテ排出口６の下端に位置する開口部に到達すると排出ローラ９，９によってカセッテ排出口６からカセッテ挿入排出部４の内部に搬送される。
【００７２】
以上のように、本実施形態の画像読取装置１によれば、可動コイル２５での発熱が保持部２２や被ガイド部材２５４に伝導することを断熱部材２５３，２５５によって防止できる。ここで保持部２２に熱が伝われば、被走査部材にも熱影響が発生し画質の劣化を伴ってしまうが、上記のように保持部２２に対する熱伝導を防止できるので、被走査部材に対する熱影響も抑制し画質を安定させることが可能となる。一方、被ガイド部材２５４に熱が伝われば、その熱によって被ガイド部材２５４が熱膨張するために、ガイド１５のガイドレール１５１との係合が不安定になって、搬送速度にムラが生じてしまう。この速度ムラは画像劣化を誘発する。しかしながら、上記のように可動コイル２５及び被ガイド部材２５４の間に断熱部材２５５が介在していれば、被ガイド部材２５４に対する熱伝導を防止でき、被ガイド部材の熱膨張を抑えて、ガイドとの係合の安定化を図ることができる。したがって搬送速度のムラを防止して、画質を安定させることが可能となる。
【００７３】
また、規制部によって保持部２２の移動が規制されて、被走査部材が着脱される際には、三相コイル２５１に対する通電が停止されているので、被走査部材の着脱動作時においては三相コイル２５１は発熱しない。このため、全発熱量が抑制されて、可動コイル２５から被ガイド部材２５４及び保持部２２に対する伝熱量を低減することができる。したがって、被走査部材に対する熱影響及び被ガイド部材２５４の熱膨張を抑制でき、画質を安定させることが可能となる。
また、固定マグネット１５３及びコイルＵ，Ｗ，Ｖの間に介在されるグラファイトは、軽量で磁力の影響を受けないので、安定した搬送を確保できる。したがって、被走査部材に対する熱影響及び被ガイド部材の熱膨張を抑制でき、画質を安定させることが可能となる。
【００７４】
なお、本発明は上記実施の形態に限らず適宜変更可能であるのは勿論である。
例えば、本実施形態では、着脱位置で保持部２２を規制するために規制部が用いられているが、リニアモータ２６を着脱位置で停止させるように、制御部が三相コイル２５１に流す電流を制御してもよい。この場合、制御部は、三相コイル２５１のうち、両端に配置されるコイルＵ，Ｖを通電、その他のコイルＷを非通電として、保持部２２を着脱位置で停止させるように制御することが好ましい。例えば図４（ｃ）に示すコイルＷの電流が０となる位置を着脱位置に設定していれば、両端に配置されるコイルＵ，Ｖが通電、その他のコイルＷが非通電とすることができる。このようにすれば、被走査部材の着脱時においては両端のコイルＵ，Ｖのみに通電しており、三相コイル２５１からの発熱を放熱しやすくなる。このため、温度上昇が抑制されて、可動コイル２５から被ガイド部材２５４及び保持部２２に対する伝熱量を低減することができる。したがって、被走査部材に対する熱影響及び被ガイド部材２５４の熱膨張を抑制でき、画質を安定させることが可能となる。
【００７５】
また、本実施形態では、待機時においては保持部２２が着脱位置で停止する場合を例示しているが、待機時においても空冷効果を得るために、可動コイル２５が常に上下動するように、制御部が三相コイル２５１に対する通電を制御してもよい。可動コイル２５が常時、動いていれば、コイルＵ，Ｗ，Ｖの特定相への通電を避けることができ、一部分のみが発熱して、他の部分よりも温度が高まることを抑制することができる。したがって、被走査部材に対する熱影響及び被ガイド部材２５４の熱膨張を抑制でき、画質を安定させることが可能となる。
【００７６】
さらに、可動コイル２５を効果的に冷却するために、可動コイル２５に対して送風する送風部を走査装置に設置してもよい。以下、送風部の設置箇所を例示して図７〜図１０を参照に説明する。なお、以下の説明において、上記実施形態に係る走査装置１４と共通の構成については、同一の符号を付してその説明を省略する。
【００７７】
図７及び図８は、送風部５０が所定の位置で移動しないように固定された走査装置１４Ａを表しており、図７は走査装置１４Ａの平面図、図８は走査装置１４Ａの側面図である。
送風部５０は、ファン５１を内蔵していて、ファン５１による風が着脱位置に位置した可動コイル２５にあたるように、例えばガイド１５や画像読取装置１のフレームなどに固定されている。なお、ファン５１の可動による振動等がガイド１５に伝播すると保持部２２の搬送に悪影響を及ぼして画質を低下させるおそれもあるので、送風部５０は画像読取装置１側に固定することが好ましい。
この送風部５０は制御部に電気的に接続されて、制御部の制御に基づいて稼働するようになっている。この制御部によって送風部５０は、可動コイル２５が着脱位置に配置された場合にのみ駆動されるようになっている。つまり、被走査部材に対して光が走査されている場合には送風部５０が停止されているために、送風部５０が駆動することにより生じるノイズは、走査時には発生せず、送風部５０による画質低下が防止されることになる。
【００７８】
図９及び図１０は、送風部５０が可動コイル２５に同行するように固定された走査装置１４Ｂを表しており、図９は走査装置１４Ｂの平面図、図１０は走査装置１４Ｂの側面図である。
送風部５０は、可動コイル２５に同行するように固定片５３を介して可動コイル２５に固定されている。なお、送風部５０が可動コイル２５に同行するのであれば、その固定箇所は如何なるところでもよく、例えば、保持台２３や被ガイド部材２５４が挙げられる。
この送風部５０は制御部に電気的に接続されて、制御部の制御に基づいて稼働するようになっている。この制御部によって送風部５０は、被走査部材に対して光が走査されている場合に停止されるようになっている。つまり、送風部５０が駆動することにより生じるノイズは、走査時には発生せず、送風部５０による画質低下が防止されることになる。また、それ以外のときには、常に可動コイル２５に対して送風を行っているので可動コイル２５の温度上昇を抑制することができる。
【００７９】
また、本実施形態では、被走査部材を垂直方向に搬送する場合を例示して説明したが、搬送方向はこれに限定されることはなく、例えば搬送方向が水平方向であっても適用可能であることは勿論である。
【００８０】
また、図示は省略するが、記録媒体に対して画像を形成する画像形成装置に上記の走査装置１４を適用することも可能である。例えば画像形成装置には、走査装置１４と、走査装置１４に固定される被走査部材に対して走査装置１４の搬送方向に直交する主走査方向に光を走査することにより被走査部材に画像を形成する画像形成部とが設けられている。このように、可動コイル２５による熱影響を低減させた走査装置１４を画像形成装置が備えていれば、画像形成装置自体によって形成される画像の画質を安定化することができる。
【図面の簡単な説明】
【００８１】
【図１】本実施形態の画像読取装置の概略構成を表す側面図である。
【図２】図１の画像読取装置に備わる走査装置を表す平面図である。
【図３】図２の走査装置を表す側面図である。
【図４】図２の走査装置に備わる固定マグネット及び三相コイルを表す説明図であり、（ａ）は固定マグネット及び三相コイルの概略図、（ｂ）は固定マグネットの磁束密度−位置線図、（ｃ）は三相コイルの電流値−位置線図である。
【図５】図２の走査装置の変形例を表す平面図である。
【図６】図２の走査装置に備わるヒートパイプ及びヒートシンクを表す斜視図である。
【図７】図２の走査装置の変形例であり、所定位置に固定された送風部を有する走査装置の平面図である。
【図８】図７の走査装置を表す側面図である。
【図９】図７の走査装置の変形例であり、可動コイルに同行する送風部を有する走査装置の平面図である。
【図１０】図９の走査装置を表す側面図である。
【符号の説明】
【００８２】
１      画像読取装置
１４      走査装置
１５      ガイド
２２      保持部
２５      可動コイル
２８      規制片（規制部）
５０      送風部
１５３      固定マグネット
２３１      係合孔（規制部）
２５１      三相コイル
２５３      断熱部材
２５４      被ガイド部材
２５５      断熱部材
Ｕ，Ｗ，Ｖ  コイル
【図１】
2005073020.tif 000003
【図２】
2005073020.tif 000004
【図３】
2005073020.tif 000005
【図４】
2005073020.tif 000006
【図５】
2005073020.tif 000007
【図６】
2005073020.tif 000008
【図７】
2005073020.tif 000009
【図８】
2005073020.tif 000010
【図９】
2005073020.tif 000011
【図１０】
2005073020.tif 000012